(57)【要約】【課題】省スペース化を維持しつつ、キーボードが折り畳められた状態であっても、マルチメディア等の機能を十分に発揮させることができるコンピューターシステムを提供する。【解決手段】コンピューターシステムは、ディスプレイ・スクリーン１１０と、折り畳み状態の時、ディスプレイ・スクリーンの一部を覆うキーボード１００と、キーボードが折り畳み状態の時、第一信号を生成する信号生成装置４６と、第一信号に基づいてキーボードが折り畳み状態かどうか判断するキーボードコントローラー４８と、キーボードが折り畳み状態であると判断された時、中断要求信号を発信する中断コントローラ５０とを備える。ホスト・コンピュータ１２０は、中断要求信号に応答して実行中のシステムルーチンを一時停止すると共に、折り畳み状態に対応するアプリケーション・プログラムを実行し、アプリケーション・プログラムの実行内容を、折り畳み状態下で覆われない残りの部分に表示する。【選択図】図１
2004164544.tif 000002
【特許請求の範囲】
【請求項１】
表示装置と折り畳み可能なキーボードとを備えたコンピューターシステムにおけるアプリケーション・プログラムの実行方法であって、前記キーボードは、表示装置の表示画面の一部を覆う折り畳み状態と、展開されてユーザー操作が可能な操作状態との間で移動可能であり、当該折り畳み状態においてコンピューターシステムにより実行されるアプリケーション・プログラムが設定されており、
前記キーボードが前記操作状態から前記折り畳み状態になる時、第一信号を生成する工程と、
前記第一信号に基づいて、前記キーボードが折り畳み状態であることを確認し、中断信号を生成する工程と、
中断信号に基づいて前記コンピューターシステムが実行中のシステムルーチンを一時停止すると共に、前記折り畳み状態に対応するアプリケーション・プログラムを実行し、前記アプリケーション・プログラムを、折り畳み状態下で覆われてない表示装置の表示画面の残りの部分に表示する工程とからなることを特徴とする方法。
【請求項２】
前記第一信号を生成する工程は、
前記キーボードが操作状態から前記折り畳み状態になる時、前記キーボードに連動する磁石により、磁気スイッチを導通させる工程と、
前記磁気スイッチの導通により、前記第一信号を生成する工程とを更に含むことを特徴とする請求項１に記載の方法。
【請求項３】
前記方法は、
前記キーボードが前記折り畳み状態から前記操作状態になる時、第二信号を生成する工程と、
前記第二信号に基づいて、前記キーボードが操作状態であると確認し、中断要求解除信号を生成し、前記アプリケーション・プログラムに通知する工程とを更に含むことを特徴とする請求項１に記載の方法。
【請求項４】
前記方法は、
前記コンピューターシステムは前記中断要求解除信号に応答してアプリケーション・プログラムに従ってダイアログウィンドウを前記表示装置の画面上に表示する工程と、
ユーザーの前記ダイアログウィンドウでの選択に応じて、前記コンピューターシステムは前記アプリケーション・プログラムの実行を継続するか、あるいは一時停止のシステムルーチンを回復するする工程とを更に含むことを特徴とする請求項３に記載の方法。
【請求項５】
実行されるアプリケーション・プログラムはＭＰ３再生プログラム、ＴＶ再生プログラム、表示時間プログラム及びＤＶＤ再生プログラム中から選択される１つであることを特徴とする請求項３に記載の方法。
【請求項６】
ユーザによる赤外線リモコンの操作に応答して前記コンピューターシステムは前記アプリケーション・プログラムを切り換えることを特徴とする請求項１に記載の方法。
【請求項７】
折り畳み可能なキーボードを備えるコンピューターシステムであって、
アプリケーション・プログラムを記憶するホスト・コンピューターと、
前記ホスト・コンピューターに接続される表示装置と、前記キーボードは、前記表示装置の表示画面の一部を覆う折り畳み状態と、展開されてユーザー操作が可能な操作状態との間で移動可能であり、前記ホスト・コンピューターには前記折り畳み状態において実行すべきアプリケーション・プログラムが設定されており、
前記キーボードが前記折り畳み状態の時、第一信号を生成する信号生成装置と、
前記信号生成装置に接続され、前記第一信号を受信し、前記キーボードが折り畳み状態かどうかを判断するキーボードコントローラーと、
前記キーボードコントローラーに接続され、キーボードコントローラーにより前記キーボードが折り畳み状態であると判断された時、中断要求信号を発信する中断コントローラーとを備え、前記ホスト・コンピューターは、前記中断要求信号に応答して実行中のシステムルーチンを一時停止すると共に、前記折り畳み状態に対応する前記アプリケーション・プログラムを実行し、前記アプリケーション・プログラムの実行内容を折り畳み状態下で覆われない表示装置の表示画面の残りの部分に表示することを特徴とするコンピューターシステム。
【請求項８】
前記信号生成装置は、前記キーボードと前記ホストの結合部に設けられた磁石と磁気スイッチを備え、前記キーボードが前記折り畳み状態になる時、前記磁石が前記磁気スイッチに接触して前記磁気スイッチを導通させ、前記磁気スイッチの導通に応じて信号生成装置は前記第一信号を生成することを特徴とする請求項７に記載のコンピューターシステム。
【請求項９】
前記キーボードが折り畳み状態から前記操作状態になる時、前記信号生成装置は第二信号を生成し、前記キーボードコントローラーは、前記第二信号に基づいて、前記中断コントローラーを起動し、前記中断コントローラーは中断要求解除信号を前記アプリケーション・プログラムに通知することを特徴とする請求項７に記載のコンピューターシステム。
【請求項１０】
ユーザーによる赤外線リモコンの操作に応答して前記ホスト・コンピュータはアプリケーション・プログラムを切り換えることを特徴とする請求項７に記載のコンピューターシステム。
【発明の詳細な説明】
【０００１】
【発明の属する技術分野】
本発明は、コンピュータシステムに関するもので、特に、折り畳み可能なキーボードを備えるコンピューターシステム及びそのコンピューターシステムにおけるアプリケーション・プログラムの実行方法に関するものである。
【０００２】
【従来の技術】
コンピューターシステムは、情報生活の最良のパートナーであるが、現在のコンピューターシステムは通常、煩雑な設定により、ある特定の機能、例えば、節電プログラムやアプリケーション・プログラムを実行する。又、現在のコンピューターシステムでは多元化により更に多くの機能を備える傾向にある。例えば、多機能のマルチメディア対応のコンピューターシステムが提案されている。更には、多機能のマルチメディア対応で、かつキーボードを折り畳み可能にしてコンピュータシステムの省スペース化が可能なコンピュータシステムも提案されている。
【０００３】
【発明が解決しようとする課題】
しかしながら、キーボード折り畳み可能なコンピュータシステムにおいては、キーボードが折り畳められた状態では、キーボードが使用できないため、マルチメディア等の機能を十分に発揮させることができないという問題がある。
【０００４】
本発明は、省スペース化を維持しつつ、キーボードが折り畳み状態であっても、マルチメディア等の機能を十分に発揮させることができる折り畳み可能なキーボードを備えるコンピューターシステム及びそのコンピューターシステムにおけるアプリケーション・プログラムの実行方法提供することを目的とする。
【０００５】
【課題を解決するための手段】
本発明は、表示装置と折り畳み可能なキーボードとを備えたコンピューターシステムにおけるアプリケーション・プログラムの実行方法であって、前記キーボードは、表示装置の表示画面の一部を覆う折り畳み状態と、展開されてユーザー操作が可能な操作状態との間で移動可能であり、当該折り畳み状態において実行されるアプリケーション・プログラムが設定されており、前記キーボードが前記操作状態から前記折り畳み状態になる時、第一信号を生成する工程と、前記第一信号に基づいて、前記キーボードが折り畳み状態であることを確認し、中断信号を生成する工程と、中断信号に基づいて前記コンピューターシステムが実行中のシステムルーチンを一時停止すると共に、前記折り畳み状態に対応するアプリケーション・プログラムを実行し、前記アプリケーション・プログラムを、折り畳み状態下で覆われてない表示装置の表示画面の残りの部分に表示する工程とからなることを要旨とする。
【０００６】
又、本発明は、折り畳み可能なキーボードを備えるコンピューターシステムであって、アプリケーション・プログラムを記憶するホスト・コンピューターと、前記ホスト・コンピューターに接続される表示装置と、前記キーボードは、前記表示装置の表示画面の一部を覆う折り畳み状態と、展開されてユーザー操作が可能な操作状態との間で移動可能であり、前記ホスト・コンピューターには前記折り畳み状態において実行すべきアプリケーション・プログラムが設定されており、前記キーボードが前記折り畳み状態の時、第一信号を生成する信号生成装置と、前記信号生成装置に接続され、前記第一信号を受信し、前記キーボードが折り畳み状態かどうかを判断するキーボードコントローラーと、前記キーボードコントローラーに接続され、キーボードコントローラーにより前記キーボードが折り畳み状態であると判断された時、中断要求信号を発信する中断コントローラーとを備え、前記ホスト・コンピューターは、前記中断要求信号に応答して実行中のシステムルーチンを一時停止すると共に、前記折り畳み状態に対応する前記アプリケーション・プログラムを実行し、前記アプリケーション・プログラムの実行内容を折り畳み状態下で覆われない表示装置の表示画面の残りの部分に表示することを要旨とする。
【０００７】
【発明の実施の形態】
上述した本発明の目的、特徴、及び長所をいっそう明瞭にするため、以下に本発明の好ましい実施の形態を挙げ、図を参照にしながらさらに詳しく説明する。
【０００８】
図１は本発明の一実施形態によるキーボードスイッチ通知機能を備えるコンピューターシステムのシステム構造図である。キーボードスイッチ通知機能とは、折り畳み可能なキーボードを備えたコンピューターシステムにおいて、キーボードスイッチによりキーボードが折り畳み状態にあるのか、あるいは展開状態にあるのかをコンピュータに通知する機能を意味する。
【０００９】
本発明の実施例によるキーボードスイッチ通知機能を備えるコンピューターシステムは、ホストコンピュータ１２０、ホストコンピュータ１２０に接続された表示装置としてのディスプレイ・スクリーン１１０、ホストコンピュータ１２０に接続された折り畳み可能なキーボード１００、信号生成装置４６、キーボードコントローラー４８、中断コントローラー５０からなる。
【００１０】
図２は本発明の実施例によるコンピューターシステムの操作状態を示す図で、図３はコンピューターシステムのキーボードが折り畳まれたときの正常な操作状態を示す図である。ユーザーがキーボード１００を上方に回転させ、折り畳み状態になった時、キーボード１００とホストコンピュータ１２０の接合部に設けられた磁石４０がキーボード１００と連動して磁気スイッチ４２と触動し、磁石４０により磁気スイッチ４２が起動する。磁気スイッチ４２は磁石４０の磁性により導通し、信号生成装置４６は磁気スイッチ４２の導通に応答して第一信号を生成する。磁石４０は、キーボード１００の回転に応じて磁気スイッチ４２と接離するようにホストコンピュータ１２０側に設けられるか、あるいはキーボード１００内に設けられて、キーボード１００と連動して磁気スイッチ４２と接離するように構成されてもよい。
【００１１】
キーボードコントローラー４８は第一信号を受信し、受信した第一信号に従って、キーボードが上方に回転し、折り畳み状態になっていると判断し、中断コントローラー５０を起動する。中断コントローラー５０は、中断するシステムルーチンの優先順序に応じた中断のパラメータを含む中断要求信号をホストコンピュータ１２０のＣＰＵに送り、ＣＰＵはこのパラメータにより中断するシステムルーチンの位置を取得する。
【００１２】
ＣＰＵは、中断要求信号に応答してホストコンピュータ１２０が実行中のシステムルーチンを一時停止すると共に、折り畳み状態に対応する、例えば、ＭＰ３再生プログラム、ＴＶ再生プログラム、表示時間プログラム及びＤＶＤ再生プログラム等の複数のアプリケーション・プログラム中の一つを実行する。これらアプリケーション・プログラムはホストコンピュータ１２０に予め格納されている。アプリケーション・プログラムの実行内容は、折り畳み状態下で覆われていないディスプレイ・スクリーン１１０の一部分だけに表示される。ホストコンピュータ１２０は、ユーザーによる赤外線リモコンの操作により、アプリケーション・プログラムを切り換えること及びアプリケーション・プログラムの制御が可能である。
【００１３】
図３は本発明の実施形態による、コンピューターシステムが折り畳み状態の時にＭＰ３再生プログラムが実行されていることを示す図である。ホストコンピュータ１２０は、例えば、ＭＰ３再生プログラムの実行内容を、折り畳み状態下で覆われないディスプレイ・スクリーン１１０の一部分に表示する。ホストコンピュータ１２０は、更に折り畳み状態下で、ユーザーによる赤外線リモコンの操作により、ＭＰ３再生プログラムの再生、一時停止、選曲機能を実行或いは切り換え、ＭＰ３再生プログラムの代わりにＴＶ再生プログラム、表示時間プログラム、及びＤＶＤプログラム中の一つのアプリケーション・プログラムを実行する。
【００１４】
図４は本発明の実施形態による、コンピューターシステムが、折り畳み状態の時、表示時間アプリケーション・プログラムを実行することを示す図である。ホストコンピュータ１２０は、折り畳み状態下で覆われていないディスプレイ・スクリーン１１０の一部分に時間を表示する。
【００１５】
キーボード１００が下方に回転し、折り畳み状態から操作状態になる時、磁石４０が磁気スイッチ４２から離れて、磁気スイッチ４２は非導通となり、信号生成装置４６は磁気スイッチ４２の非導通に応答して第二信号を生成する。キーボードコントローラー４８は第二信号に基づいて、キーボード１００がすでに回転し展開されたことを確認し、中断コントローラー５０を起動させる。中断コントローラー５０は中断要求解除信号をＣＰＵに発信して、アプリケーション・プログラムに通知する。
【００１６】
図５は本発明の実施形態による、キーボードスイッチ通知機能を備えるコンピューターシステムの、キーボードが折り畳み状態である時の処理方法を示すフローチャートである。
【００１７】
先ず、工程Ｓ１０において、ユーザーはキーボード１００を上方に回転させ、キーボード１００を折り畳み状態にする。キーボード１００が折り畳み状態の時、ディスプレイ・スクリーン１１０の一部が覆われる。続いて工程Ｓ１２で、磁気スイッチ４２が導通し第一信号が生成される。キーボード１００が回転する時、磁石４０が磁気スイッチ４２に接触するので、磁石４０の磁性により磁気スイッチ４２は導通し、第一信号が生成される。工程Ｓ１４において、キーボードコントローラー４８は第一信号を受信し、受信した第一信号に基づいて、キーボード１００が折り畳み状態になったと判断し、中断コントローラー５０を起動する。
【００１８】
続いて、工程Ｓ１６において、中断コントローラー５０は中断要求信号を発信し、ホストコンピュータ１２０のＣＰＵは、中断要求信号に応答してコンピューターシステムが実行中のシステムルーチンを一時停止する。最後に、工程Ｓ１８において、ＣＰＵは折り畳み状態に対応するアプリケーション・プログラムを実行し、アプリケーション・プログラムの実行内容を折り畳み状態下で覆われないディスプレイ・スクリーン１１０の一部分に表示する。このとき、ユーザーの赤外線リモコンの操作により現在中のアプリケーション・プログラムとは異なるアプリケーション・プログラムが選択されたとき、ＣＰＵは選択されたアプリケーション・プログラムに切り換え、そのアプリケーション・プログラムを実行する。アプリケーション・プログラムは、例えば、ＭＰ３再生プログラム、ＴＶ再生プログラム、表示時間プログラム及びＤＶＤ再生プログラムの中のどれかである。
【００１９】
図６は本発明の実施形態によるキーボードスイッチ通知機能を備えるコンピューターシステムの、キーボードが操作状態である時の処理方法を示すフローチャートである。
【００２０】
先ず工程Ｓ２０において、キーボード１００を下に回転させ、キーボード１００が折り畳み状態から操作状態に変わる時、磁石４０が磁気スイッチ４２から離れて磁気スイッチ４２が非導通となる。続いて、工程Ｓ２２において、信号生成装置４６は磁気スイッチ４２の非導通に応答して第二信号を生成すると共に、キーボードコントローラー４８に第二信号を供給する。工程Ｓ２４において、キーボードコントローラー４８は第二信号に基づいて、中断コントローラー５０を起動する。即ち、キーボードコントローラー４８は第二信号を受信すると、キーボード１００が下に回転され、操作状態になっていると確認し、中断コントローラー５０を起動する。
【００２１】
続いて、工程Ｓ２６において、中断コントローラー５０は、第二信号に基づいて中断要求解除信号を生成して、その中断要求解除信号をホストコンピュータ１２０のＣＰＵに通知する。ＣＰＵは、中断要求解除信号アプリケーション・プログラムに通知する。アプリケーション・プログラムは、ＭＰ３再生プログラム、ＴＶ再生プログラム、表示時間プログラム及びＤＶＤ再生プログラム中のどれかである。工程Ｓ２８において、ＣＰＵはアプリケーション・プログラムに従ってアプリケーション・プログラムの実行を継続するかどうか決定するためのダイアログウィンドウを生成し、そのダイアログウィンドウをディスプレイ・スクリーン１１０上に表示する。
【００２２】
ユーザーはダイアログウィンドウにより、アプリケーション・プログラムの実行を継続するか、或いは一時停止のシステムルーチンを回復するかを決定する。工程Ｓ３０において、ユーザーがダイアログウィンドウにより一時停止のシステムルーチンを回復することを選択し、アプリケーション・プログラムの実行の継続に同意しないことを選択した場合、ＣＰＵは一時停止のシステムルーチンを回復し、アプリケーション・プログラムの実行を中止する。ユーザーがダイアログウィンドウにより、アプリケーション・プログラムの実行の継続に同意することを選択した場合、工程３２においてＣＰＵはアプリケーション・プログラムの実行を継続する。
【００２３】
本発明では好ましい実施形態を前述の通り開示したが、これらは決して本発明に限定されるものではなく、当業者当該技術を熟知する者なら誰でも、本発明の精神と領域を脱しない範囲内で各種の変更や改良を加えることができ、従って本発明の保護範囲は、特許請求の範囲で定義された内容を基準とする。
【００２４】
【発明の効果】
本発明によれば、省スペース化を維持しつつ、キーボードが折り畳められた状態であっても、マルチメディア等の機能を十分に発揮させることができるという優れた効果を奏する。
【図面の簡単な説明】
【図１】本発明の一実施形態のコンピューターシステムのシステム構造図である。
【図２】コンピューターシステムが操作状態であることを示す図である。
【図３】本発明の一実施形態のコンピューターシステムが、折り畳み状態の時、ＭＰ３再生プログラムを実行していることを示す図である。
【図４】本発明の一実施形態のコンピューターシステムが、折り畳み状態の時、表示時間プログラムを実行していることを示す図である。
【図５】本発明の一実施形態のコンピューターシステムにおいて、キーボードが折り畳み状態である時の処理方法を示すフローチャートである。
【図６】本発明の一実施例のコンピューターシステムにおいて、キーボードが操作状態である時の処理方法を示すフローチャートである。
【符号の説明】
４０…磁石
４２…磁気スイッチ
４６…信号生成装置
４８…キーボードコントローラー
５０…中断コントローラー
１００…キーボード
１１０…ディスプレイ・スクリーン
１２０…ホスト・コンピュータ
【図１】
2004164544.tif 000003
【図２】
2004164544.tif 000004
【図３】
2004164544.tif 000005
【図４】
2004164544.tif 000006
【図５】
2004164544.tif 000007
【図６】
2004164544.tif 000008